(57)【要約】  電気コネクタアセンブリ（１００）は、ワイヤアセンブリ（１０２）を保持するために、前端（１２２）と後端（１２４）を有し且つ前記前端から前記後端に軸方向へ延出するハウジングチャネル（１２６）を含むハウジング（１２０）を含む。このコネクタアセンブリは、前端と後端（１５４）を有するスタビライザ（１０４）を含む。スタビライザ（１０４）は、前記前端から延出し且つ前記スタビライザの長手方向に沿う支持チャネル（１６０）を有する支持部（１５８）を含む。このスタビライザは、支持チャネル（１６０）がハウジングチャネル（１２６）と整列して対応するワイヤアセンブリを中に受け入れるように、ハウジング（１２０）の後端（１２４）に結合される。前部保持機能部（１３０）は、スタビライザをハウジングに保持する。後部保持機能部（１３２）は、ワイヤアセンブリをスタビライザに保持する。
2015512133.tif 000002
【特許請求の範囲】
【請求項１】
電気コネクタアセンブリ（１００）であって、
ワイヤアセンブリ（１０２）を保持するために、前端（１２２）と後端（１２４）を有し且つ前記前端から前記後端に軸方向へ延出するハウジングチャネル（１２６）を含むハウジング（１２０）と、
前端（１５２）と後端（１５４）を有するスタビライザ（１０４）であって、前記前端から延出する支持部（１５８）を含み、前記支持部が前記スタビライザの長手軸（１５０）に沿う支持チャネル（１６０）を有し、前記ハウジングの前記後端へ結合されて前記支持チャネルが前記ハウジングチャネルと整列して対応する前記ワイヤアセンブリを中に受け入れるスタビライザ（１０４）と、
前記スタビライザを前記ハウジングに保持する前部保持機能部（１３０）と、
前記ワイヤアセンブリを前記スタビライザに保持する後部保持機能部(１３２)と
を備える電気コネクタアセンブリ（１００）。
【請求項２】
前記スタビライザ（１０４）の前記前端（１５２）は、前記ワイヤアセンブリ（１０２）の各々のシール（１１４）の背面（１１６）に当接して前記ワイヤアセンブリの振動を防止する請求項１に記載の電気コネクタアセンブリ（１００）。
【請求項３】
前記支持部（１５８）は、前記ハウジングチャネル（１２６）内での前記ワイヤアセンブリ（１０２）の後方移動を停止する請求項１に記載の電気コネクタアセンブリ（１００）。
【請求項４】
前記支持部（１５８）は、前記ハウジングチャネル（１２６）内に収容される請求項１に記載の電気コネクタアセンブリ（１００）。
【請求項５】
前記前部保持機能部（１３０）は、前記スタビライザ（１０４）を前記ハウジング（１２０）内に押圧して前記スタビライザを保持するストラップを備える請求項１に記載の電気コネクタアセンブリ（１００）。
【請求項６】
前記後部保持機能部（１３２）は、前記ワイヤアセンブリ（１０２）を前記支持チャネル（１６０）に押圧して前記ワイヤアセンブリを前記スタビライザ（１０４）に軸方向へ取り付けるストラップを備える請求項１に記載の電気コネクタアセンブリ（１００）。
【請求項７】
前記スタビライザ（１０４）は、前記ハウジングの前記後端（１２４）に前記ハウジング（１２０）の後部溝区域（２０２）に沿って延出するタブ（１６８）を含み、
前記前部保持機能部（１３０）は、前記タブに係合して前記スタビライザを前記ハウジングに固定する請求項１に記載の電気コネクタアセンブリ（１００）。
【請求項８】
前記スタビライザ（１０４）は、前記支持部（１５８）の半径方向外方へ配置されるタブ（１６８）を含み、
前記タブと前記支持部との間に隙間（１７２）が画定され、
前記ハウジングの前記後端（１２４）は、前記隙間内に配置され、
前記前部保持機能部（１３０）は、前記タブを前記ハウジングに向けて押圧して前記スタビライザを前記ハウジングに固定する請求項１に記載の電気コネクタアセンブリ（１００）。
【請求項９】
更に、前記ハウジング（１２０）に結合される端子位置保証装置(１３６)を備え、
前記端子位置保証装置は、前記ワイヤアセンブリ（１０２）の対応する端子（１１０）の背後に配置されて前記ワイヤアセンブリを前記ハウジングチャネル（１６０）に軸方向へ固定する戻り止め（１９８）を有する請求項１に記載の電気コネクタアセンブリ（１００）。
【請求項１０】
前記ワイヤアセンブリ（１０２）は、各々が前記ワイヤの後端に取り付けられた前記ワイヤアセンブリの対応する端子（１１０）の後部の前記ワイヤアセンブリのワイヤ（１１２）に取り付けられたシール（１１４）を備え、
前記ワイヤアセンブリは、前記シールが前記ハウジングの前記前端（１２２）から離れ且つ前記ハウジングの前記後端（１２４）から離れて軸方向へ配置されるように前記ハウジングチャネル（１２６）内に収容され、
前記支持部（１５８）は、前記対応するハウジングチャネルに装填されて前記シールに当接し、前記ハウジングに対する前記ワイヤアセンブリの後方移動を阻止する請求項１に記載の電気コネクタアセンブリ（１００）。
【発明の詳細な説明】
【技術分野】
【０００１】
本発明は、概して端子とワイヤスタビライザを有する電気コネクタアセンブリに関する。
【背景技術】
【０００２】
幾つかの用途では、電気コネクタは、高振動に曝されるとワイヤが激しく運動することがある。この運動は、ワイヤや端子の破損や、摩耗や接続不良を引き起こし得る端子接続界面での運動を引き起こす可能性がある。従来のコネクタのストレインリリーフは、ワイヤの運動を減少するが、電気コネクタへ取付けられると、ストレインリリーフの部分の偏心長に起因して電気コネクタへ重みを加え、そのシステムに対してより偏心された荷重を生成することになる。
【発明の概要】
【課題を解決するための手段】
【０００３】
その解決手段は、ワイヤアセンブリを保持するために、前端と後端を有し且つ前記先端から前記後端に軸方向へ延出するハウジングチャネルを含むハウジングを含む、ここで記述されるコネクタアセンブリによって提供される。前記コネクタアセンブリは、前端と後端を有するスタビライザを含む。このスタビライザは、そのスタビライザの長手軸に沿う支持チャネルを有する、前端から延出する支持部を含む。スタビライザは、ハウジングの後端へ結合されて、支持チャネルがハウジングチャネルと整列して対応するワイヤアセンブリを中に受け入れる。前部保持機能部は、スタビライザをハウジングに保持する。後部保持機能部は、ワイヤアセンブリをスタビライザに保持する。
【０００４】
本発明は、添付の図面を参照して例として記述される。
【図面の簡単な説明】
【０００５】
【図１】例示的実施形態に従って形成されたスタビライザを有する電気コネクタアセンブリを正面から見た斜視図である。
【０００６】
【図２】電気コネクタアセンブリとスタビライザを背面から見た斜視図である。
【０００７】
【図３】電気コネクタアセンブリとスタビライザの側面図である。
【０００８】
【図４】スタビライザの斜視図である。
【０００９】
【図５】スタビライザを背面から見た斜視図である。
【００１０】
【図６】電気コネクタアセンブリの一部分の部分的な断面図である。
【発明を実施するための形態】
【００１１】
図１は、例示的実施形態に従って形成された電気コネクタアセンブリ１００を正面から見た斜視図である。図２は、電気コネクタアセンブリ１００を背面から見た斜視図である。電気コネクタアセンブリ１００は、相手コネクタ（図示せず）と電気的に接続されるように構成される複数のワイヤアセンブリ１０２（これらのアセンブリ１０２の一つは、その説明のために図１の電気コネクタアセンブリ１００から外されている）を保持する。電気コネクタアセンブリ１００は、ワイヤアセンブリ１０２の移動を減少してそれらに対する損傷を回避するようにワイヤアセンブリ１０２を安定化するためのスタビライザ１０４を含む。
【００１２】
各ワイヤアセンブリ１０２は、ワイヤ１１２の端部に取り付けられる端子１１０を含む。任意ではあるが、端子１１０は、ワイヤ１１２に圧着されることができる。各ワイヤアセンブリ１０２は、対応する端子１１０の後部でワイヤ１１２に取り付けられるシール１１４を含む。任意ではあるが、シール１１４は、ワイヤ１１２に圧着されてもよい。任意ではあるが、シール１１４は、端子１１０の直ぐ背後に配置されてもよい。或いは、シール１１４は、端子１１０から離れていてもよい。シール１１４は、端子１１０に結合されてもよい。シール１１４は、水分、ごみ又は他の汚染物が電気コネクタアセンブリ１００に入り電気性能や端子１１０の相手コネクタとの接続部に影響を及ぼすことを防止する。例示的実施形態では、以下に記述され且つ詳述されるように、スタビライザ１０４は、シール１１４の背面１１６と係合してシール１１４とワイヤアセンブリ１０２に対する支持を行う。スタビライザ１０４は、シール１１４に対してワイヤアセンブリ１０２を支持する。
【００１３】
電気コネクタアセンブリ１００は、ワイヤアセンブリ１０２を保持するように構成されるハウジング１２０を含む。このハウジング１２０は、前端１２２と後端１２４との間に延出する。ハウジング１２０は、ワイヤアセンブリ１０２を保持するために、前端１２２から後端１２４へハウジング１２０の長手軸１２８に沿って軸方向へ延出するハウジングチャネル１２６を含む。スタビライザ１０４は、ハウジング１２０の後部でハウジング１２０に結合される。電気コネクタアセンブリ１００は、ハウジング１２０に対してスタビライザ１０４を保持する前部保持機能部１３０を含む。電気コネクタアセンブリ１００は、スタビライザ１０４に対してワイヤアセンブリ１０２を保持する後部保持機能部１３２を含む。
【００１４】
例示的実施形態では、ハウジング１２０は、電気コネクタアセンブリ１００を相手コネクタに固定するためのラッチ１３４を含む。このラッチ１３４は、可撓性であってもよい。例示的実施形態では、電気コネクタアセンブリ１００は、ハウジング１２０に結合される端子位置保証装置１３６を含む。この端子位置保証装置１３６は、端子１１０をハウジングチャネル１２６内に固定し且つ端子１１０がハウジング１２０内で適切に配置されることを保証するために端子１１０と係合するように構成された機能部を有する。電気コネクタアセンブリ１００は、ハウジング１２０の外部回りに延出する周辺シール１３８を含む。この周辺シール１３８は、電気コネクタアセンブリ１００が相手コネクタに嵌合されると、その相手コネクタに対してシールされるように構成される。周辺シール１３８は、水分、ごみ又は他の汚染物が相手コネクタとの接続界面を介して電気コネクタアセンブリ１００に入ることを防止する。
【００１５】
図３は、ハウジング１２０の前端１２２に結合された端子位置保証装置１３６を示すと共にハウジング１２０の後端１２４に結合されたスタビライザ１０４を示す電気コネクタアセンブリ１００の側面図である。スタビライザ１０４は、前部保持機能部１３０を使用してハウジング１２０に結合される。ワイヤアセンブリ１０２は、後部保持機能部１３２を使用してスタビライザ１０４に固定される。
【００１６】
図４は、例示的実施形態に従って形成されたスタビライザ１０４の斜視図である。図５は、スタビライザ１０４を背面から見た斜視図である。スタビライザ１０４は、前端１５２と後端１５４との間に長手軸１５０に沿って延出する。スタビライザ１０４は、前端１５２と後端１５４との間の略中央に位置され得るハブ１５６を含む。スタビライザ１０４は、前端１５２に複数の支持部１５８を含む。支持部１５８は、ハブ１５６から前方へ延出する。任意の数の支持部１５８が設けられてよい。支持部１５８の数は、スタビライザ１０４によって支持されるワイヤアセンブリ１０２（図１に図示）の数に対応する。支持部１５８は、各々が長手軸１５０に沿って延出する対応する支持チャネル１６０を含む。例示的実施形態では、支持チャネル１６０は、支持チャネル１６０が支持チャネル１６０の開口側を介して対応するワイヤ１１２（図１に図示）をラジアル荷重方向に収容するように構成されるよう、壁がなくされている。例示的実施形態では、前端１５２で、支持部１５８は、略Ｃ形状とされて各支持部１５８の長手軸に沿って支持チャネル１６０を形成する。支持部１５８は、隙間１６２分、互いから分離されている。隙間１６２は、ハウジング１２０（図１に図示）の一部を収容するように構成された空間を提供する。
【００１７】
スタビライザ１０４は、ハブ１５６から前方へ延出する外側ラッチ１６６を含む。この外側ラッチ１６６は、可撓性であり且つスタビライザ１０４をハウジング１２０に固定するために使用される。外側ラッチ１６６は、それらの先端にタブ１６８を含む。タブ１６８は、自由端１７０へ延出する。タブ１６８は、略軸方向へ支持部１５８に整列する。タブ１６８は、支持部１５８の半径方向外方に配置される。タブ１６８は片持ち支持されており、ハブ１５６から前方へ延出する。タブ１６８と支持部１５８との間に隙間１７２が画定される。タブ１６８は、ハウジング１２０の外側に沿って延出する。タブ１６８は、前部保持機能部１３０（図１に図示）を使用してスタビライザ１０４をハウジング１２０に固定するために使用される。タブ１６８は、各々が内表面１７４とこの内表面１７４の反対側の外表面１７６を有する。タブ１６８の各々は、後ろに向いた表面１７８を含む。
【００１８】
スタビライザ１０４は、ハブ１５６の後部に後部ハブ１８０を含む。この後部ハブ１８０は、支持部１５８の後方延長部であってもよく、支持部１５８の一部分を画定してもよい。後部ハブ１８０は、ワイヤアセンブリ１０２のワイヤ１１２を支持する。後部ハブ１８０は、ワイヤ１１２を支持する支持チャネル１６０と整列したチャネル１８２を含む。チャネル１８２は、支持チャネルを画定でき且つ支持チャネル１８２と呼ばれてもよい。後部リテーナ機能部１３２は、後部ハブ１８０に結合されるように構成される。後部ハブ１８０は、後端１５４に半径方向外方へ延出する戻り止めを含む。これらの戻り止め１８４は、後部保持機能部１３２をスタビライザ１０４に固定するために使用される。
【００１９】
図６は、電気コネクタアセンブリ１００の一部の部分的な断面図である。組み立て中、ワイヤアセンブリ１０２は、ハウジング１２０の後端１２４を介してハウジングチャネル１２６へ装填される。例示的実施形態では、端子１１０は、ハウジング１２０の前端１２２に配置されることができる。端子１１０は、端子１１０をハウジングチャネル１２６内に固定するためにハウジングチャネル１２６内で対応する肩部１９２と係合するように構成されるラッチ１９０を含む。
【００２０】
端子位置保証装置１３６と周辺シール１３８は、前端１２２からハウジング１２０に結合される。周辺シール１３８は、ハウジング１２０の隆起部１９６に隣接する着座位置へハウジング１２０の外部に沿って前部プロファイル１９６上に嵌合するようなサイズと形状にされる。端子位置保証装置１３６は、周辺シール１３８の前部に配置される。端子位置保証装置１３６は、端子１１０の後部に向く肩部２００と係合するためにハウジング１２０内のスロットすなわち溝を貫通するように延出する戻り止め１９８を含む。戻り止め１９８は、ハウジングチャネル１２６内で端子１１０の後方移動を停止する。戻り止め１９８は、端子１１０のラッチ１９０に加えて、ハウジング１２０内に端子１１０を固定するための副次即ちバックアップラッチとして働く。例えば、ラッチ１９０が働かなくなった或いは破損したとすると、戻り止め１９８は、ハウジング１２０内に端子１１０を固定する。端子位置保証装置１３６は、完全に装填された位置に端子１１０をロックする。端子位置保証装置１３６は、端子１１０がハウジング１２０内に配置されることを保証する位置にロックされる。
【００２１】
組み立て中、スタビライザ１０４は、ハウジング１２０の後端１２４に結合される。ワイヤ１１２は、例えば、支持チャネル１６０，１８２の開口側を介してワイヤ１１２を装填することよって、スタビライザ１０４の対応する支持チャネル１６０，１８２内に装填される。ワイヤアセンブリ１０２は、シール１１４が前端１２２から離れ且つハウジング１２０の後端１２４から離れて軸方向へ配置されようにハウジングチャネル１２６内に収容される。スタビライザ１０４は、支持部１５８が対応するハウジングチャネル１２６に装填されてシール１１４に当接してハウジング１２０に対するワイヤアセンブリ１０２の後方移動を阻止するように、後端１２４に結合される。支持部１５８の前端は、スタビライザ１０４の前端を画定し且つワイヤアセンブリ１０２の対応するシール１１４の背面１１６に当接する。支持部１５８は、ハウジング１２０内でワイヤアセンブリ１０２を安定化する。支持部１５８は、各ワイヤ１１２に圧着された個々のワイヤシール１１４に対して強固に保持し、従って、端子運動を減少するように前方へ端子を保持する。スタビライザ１０４とワイヤアセンブリ１０２との間の直接係合は、ワイヤアセンブリ１０２の移動を減少する。支持部１５８は、後ろ方向へのワイヤアセンブリ１０２の軸方向移動を停止し、従って、端子１１０に働く応力と歪を減少し且つ端子と対応する相手コネクタとの接続界面での端子運動を減少する。例示的実施形態では、ワイヤ１１２の一部は、支持チャネル１６０とハウジングチャネル１２６との間で捕捉される。ハウジングチャネル１２６は、Ｃ形状の支持チャネル１６０の開口側部分を覆うすなわち閉鎖する。
【００２２】
後部保持機能部１３２は、ワイヤ１１２をスタビライザ１０４に固定する。後部保持機能部１３２は、ワイヤ１１２をスタビライザ１０４に対して固定するために後部ハブ１８０に結合されてワイヤ１１２をチャネル１８２内に押圧する。後部保持機能部１３２は、ワイヤの安定化無しでは端子接続界面へ平行移動される可能性があるワイヤ運動の多くを減少する。例示的実施形態では、後部保持機能部１３２は、ワイヤ１１２とスタビライザ１０４に対して締め付けられるように構成されるストラップである。例えば、後部保持機能部１３２は、所定位置に締め付けられ且つロックされることができるタイラップやジップタイであってもよい。他の実施形態では、Ｃクランプのような他のタイプの保持機能部が使用されてもよい。後部保持機能部１３２は、ワイヤアセンブリ１０２のワイヤ１１２を支持チャネル１６０やチャネル１８２に押圧しワイヤアセンブリ１０２をスタビライザ１０４に軸方向へ貼り付ける。後部保持機能部１３２は、ストレインリリーフを提供する。後部保持機能部１３２は、ハブ１５６と戻り止め１８４との間で後部ハブ１８０に結合される。戻り止め１８４は、後部保持機能部１３２がスタビライザ１０４の後端１５４から外れることを阻止する。
【００２３】
組み立て中、スタビライザ１０４がハウジング１２０の後端１２４に結合されるので、外側ラッチ１６６がハウジング１２０に係合してスタビライザ１０４をハウジング１２０に固定する。スタビライザ１０４は、前部保持機能部１３０を使用してハウジング１２０に保持される。ハウジング１２０は、フランジ２０４の後部に後部溝区域２０２を含む。ハウジング１２０は、後部溝区域２０２の後部にリップ部２０６を含む。スタビライザ１０４は、ハウジング１２０の後部溝区域２０２に組み付けられる。スタビライザ１０４がハウジング１２０の後端１２４に結合されると、ハウジング１２０の後端１２４は、外側ラッチ１６６と支持部１５８との間で隙間１７２に装填される。タブ１６８は、リップ部２０６上を通り、後部溝区域２０２内に着座される。各タブ１６８の内表面１７４は、後部溝区域２０２に沿って画定されるハウジング１２０の外部表面上に載る。支持部１５８は、ハウジング１２０の内側にあり、タブ１６８は、ハウジング１２０の外側にある。
【００２４】
スタビライザ１０４がハウジング１２０に配置されると、各外側ラッチ１６６の後部に面する表面１７８は、リップ部２０６に当接してハウジング１２０に関してスタビライザ１０４を軸方向へ固定する。リップ部２０６は、スタビライザ１０４の後方への動きを防止し且つスタビライザ１０４がハウジング１２０の後端１２４から引き抜かれることを防止する。タブ１６８は、後部溝区域２０２に平行且つそれに沿って延出する。前部保持機能部１３０は、タブ１６８を囲み、タブ１６８が後部溝区域２０２から離昇することを防止する。前部保持機能部１３０は、タブ１６８をハウジング１２０に向けて押圧してスタビライザ１０４をハウジング１２０に固定する。例えば、タブ１６８は、後部に面する表面１７８がリップ部２０６を越えることができないように、後部溝区域２０２から離昇できない。スタビライザ１０４は、ハウジング１２０に固定され、ハウジング１２０から離れるように後方へ引っ張られることができない。スタビライザ１０４がハウジング１２０の所定位置に固定されると、スタビライザ１０４は、端子運動に対するワイヤアセンブリ１０２のための支持を提供する。
【００２５】
例示的実施形態では、前部保持機能部１３０は、締め付けられて且つハウジング１２０の後部溝区域２０２に対してスタビライザ１０４のタブ１６８を押圧してスタビライザ１０４をハウジング１２０に保持するように構成されるストラップである。例えば、前部保持機能部１３０は、所定位置に締め付けられ且つロックされることができるタイラップやジップタイであってもよい。他の実施形態では、Ｃクランプのような他のタイプの保持機能部が使用されてもよい。
【００２６】
上記は、例示的であり、制限的ではないことを理解すべきである。例えば、上述の実施形態（やその態様）は、互いに組み合わされて使用されてもよい。加えて、多くの変更は、本発明の範囲から離れることなく、特定の状況や材料を本発明の技術に適合するようになされることができる。ここで記述された寸法、材料のタイプ、種々のコンポーネントの配向、及び種々のコンポーネントの数と位置は、幾つかの実施形態のパラメータを定義することを意図しており、決して制限せず、単に例示的実施形態である。請求項の精神と範囲内での多くの他の実施形態と変更は、当業者には、上記をよく調べることで明らかとなる。
【図１】
2015512133.tif 000003
【図２】
2015512133.tif 000004
【図３】
2015512133.tif 000005
【図４】
2015512133.tif 000006
【図５】
2015512133.tif 000007
【図６】
2015512133.tif 000008
【国際調査報告】
2015512133.tif 000009
2015512133.tif 000010
2015512133.tif 000011